(57)【要約】【課題】  多数の配線コードの長さの余裕部分を容易に収納整理できるようにした配線コード収納容器を提供する。【解決手段】  上方に開放する開口部２ａを備えた容器本体２内に、配線コード３，３…を収納するための複数の配線コード収納室４，４…を区画板５，５…によって区画形成すると共に、該配線コード収納室４を形成する前記容器本体２の壁部には配線コード３を外方に配線するための上方開放の溝孔６が形成され、且つ、前記容器本体２の開口部２ａを被蔽自在の蓋体（筒状体７）が設けられた配線コード収納容器を提供する。【選択図】  図１
0003105070.tif 000002
【実用新案登録請求の範囲】
【請求項１】
上方に開放する開口部を備えた容器本体内に、配線コードを収納するための複数の配線コード収納室を区画板によって区画形成すると共に、該配線コード収納室を形成する前記容器本体の壁部には配線コードを外方に配線するための上方開放の溝孔が形成され、且つ、前記容器本体の開口部を被蔽自在の蓋体が設けられたことを特徴とする配線コード収納容器。
【請求項２】
上方に開放する開口部を備えた容器本体内に、仕切り板によって配線分岐手段を収納する配線分岐手段収納室を区画形成すると共に、該仕切り板、及び、区画板によって該配線分岐手段収納室に夫々隣接させて、配線コードを収納する複数の配線コード収納室を区画形成し、且つ、該配線分岐手段収納室と配線コード収納室とを区画する仕切り板には配線コードを配線するための上方開放の溝孔が夫々形成され、更に、該配線分岐手段収納室と配線コード収納室を形成する前記容器本体の壁部には配線コードを外方に配線するための上方開放の溝孔が形成され、且つ、前記容器本体の開口部を被蔽自在の蓋体が設けられたことを特徴とする配線コード収納容器。
【請求項３】
上記配線分岐手段はＯＡタップであることを特徴とする請求項２記載の配線コード収納容器。
【請求項４】
上記配線分岐手段はＵＳＢポートであることを特徴とする請求項２記載の配線コード収納容器。
【請求項５】
上記区画板は着脱自在に取り付けられることを特徴とする請求項１，２，３又は４記載の配線コード収納容器。
【請求項６】
上記区画板は全体、又は、一部が可撓性の板状体で形成され、上記容器本体の壁面部、及び／又は、上記仕切り板に圧接させて着脱自在に取り付けられると共に、該区画板の取り付け位置を変化させることにより、上記区画室の大きさを変化させることができるように構成されていることを特徴とする請求項１，２，３，４又は５記載の配線コード収納容器。
【請求項７】
上記区画板の両端部を挿入させるべく、上記容器本体の壁部、及び／又は、上記仕切り板に、対向する溝穴が形成され、該溝穴によって該区画板は着脱自在に構成されていることを特徴とする請求項１，２，３，４又は５記載の配線コード収納容器。
【請求項８】
上記対向する溝穴は複数組形成され、上記区画板を挿入する溝穴を変更することにより、上記区画室の大きさを変更自在であることを特徴とする請求項７記載の配線コード収納容器。
【請求項９】
上記蓋体は上記容器本体を出し入れ自在の筒状体に形成されていることを特徴とする請求項１，２，３，４，５，６，７又は８記載の配線コード収納容器。
【請求項１０】
上記筒状体を上記容器本体の後方に延びて該容器本体よりも長く形成し、該容器本体の延びた後部に該筒状体の後方から出し入れ自在の上方開放の付属容器を設けたことを特徴とする請求項９記載の配線コード収納容器。
【請求項１１】
上記蓋体は上記容器本体の開口部に開閉自在に取り付けられていることを特徴とする請求項１，２，３，４，５，６，７又は８記載の配線コード収納容器。
【請求項１２】
上記蓋体は上記容器本体の開口部に蝶番によって開閉自在に取り付けられていることを特徴とする請求項１１記載の配線コード収納容器。
【請求項１３】
上記区画板及び／又は上記容器本体の壁部に配線コードを巻回自在の巻き線部を揺動自在に設けたことを特徴とする請求項１，２，３，４，５．６，７，８，９，１０，１１又は１２記載の配線コード収納容器。
【考案の詳細な説明】
【技術分野】
【０００１】
本考案は、電化製品やコンピュータ等の電源コード、ＡＶコード、あるいはＵＳＢコード等の長さの余裕部分を収納する配線コード収納容器に関する。
【背景技術】
【０００２】
テレビや音響機器等の電化製品やコンピュータ等は、背面側に電源用や他機器との接続用のコード或いはケーブルが多数引き出され、これらのコード類が入り乱れて乱雑になりがちである。従来、コード類をまとめる手段としては、結束具が一般的に用いられている。結束具にはワイヤ入りの結束ラップや面ファスナを利用したものあるいはクリップ式のものなどがあり、これらの結束具は、通常、複数のコード類を束ねてまとめるのに用いられる。
【０００３】
又、特許文献１に示すようなコード類を巻き取って収納する収納具も知られている。
【特許文献１】特開２０００−１７７９３４号公報
【考案の開示】
【考案が解決しようとする課題】
【０００４】
然しながら、前述した結束具は、コード類が露出した状態で結束するので、外観上も好ましくなく、又、埃やごみ或いはその他の汚れが付着し、不潔になると共に、掃除もしにくく、更に、漏電の虞も発生する。
【０００５】
又、特許文献１に示すようなコード類の収納具も知られているが、それらはコードを１本ずつ収納するものであるため、多数のコード類がある場合は多数の収納具を必要とし、煩雑になり、外観上も好ましくない。
【０００６】
以上の現状に鑑み、本考案の目的は、多数の配線コードの長さの余裕部分を容易に収納整理できるようにした配線コード収納容器を提供する。
【課題を解決するための手段】
【０００７】
上記の課題を解決すべく、本考案は以下の構成を提供する。
請求項１に係る考案は、上方に開放する開口部を備えた容器本体内に、配線コードを収納するための複数の配線コード収納室を区画板によって区画形成すると共に、該配線コード収納室を形成する前記容器本体の壁部には配線コードを外方に配線するための上方開放の溝孔が形成され、且つ、前記容器本体の開口部を被蔽自在の蓋体が設けられたことを特徴とする配線コード収納容器を提供するものである。
【０００８】
請求項２に係る考案は、上方に開放する開口部を備えた容器本体内に、仕切り板によって配線分岐手段を収納する配線分岐手段収納室を区画形成すると共に、該仕切り板、及び、区画板によって該配線分岐手段収納室に夫々隣接させて、配線コードを収納する複数の配線コード収納室を区画形成し、且つ、該配線分岐手段収納室と配線コード収納室とを区画する仕切り板には配線コードを配線するための上方開放の溝孔が夫々形成され、更に、該配線分岐手段収納室と配線コード収納室を形成する前記容器本体の壁部には配線コードを外方に配線するための上方開放の溝孔が形成され、且つ、前記容器本体の開口部を被蔽自在の蓋体が設けられたことを特徴とする配線コード収納容器を提供するものである。
【０００９】
請求項３に係る考案は、上記配線分岐手段はＯＡタップであることを特徴とする請求項２記載の配線コード収納容器を提供するものである。
【００１０】
請求項４に係る考案は、上記配線分岐手段はＵＳＢポートであることを特徴とする請求項２記載の配線コード収納容器を提供するものである。
請求項５に係る考案は、上記区画板は着脱自在に取り付けられることを特徴とする請求項１，２，３又は４記載の配線コード収納容器を提供するものである。
【００１１】
請求項６に係る考案は、上記区画板は全体、又は、一部が可撓性の板状体で形成され、上記容器本体の壁面部、及び／又は、上記仕切り板に圧接させて着脱自在に取り付けられると共に、該区画板の取り付け位置を変化させることにより、上記区画室の大きさを変化させることができるように構成されていることを特徴とする請求項１，２，３，４又は５記載の配線コード収納容器を提供するものである。
【００１２】
請求項７に係る考案は、上記区画板の両端部を挿入させるべく、上記容器本体の壁部、及び／又は、上記仕切り板に、対向する溝穴が形成され、該溝穴によって該区画板は着脱自在に構成されていることを特徴とする請求項１，２，３，４又は５記載の配線コード収納容器を提供するものである。
【００１３】
請求項８に係る考案は、上記対向する溝穴は複数組形成され、上記区画板を挿入する溝穴を変更することにより、上記区画室の大きさを変更自在であることを特徴とする請求項７記載の配線コード収納容器を提供するものである。
【００１４】
請求項９に係る考案は、上記蓋体は上記容器本体を出し入れ自在の筒状体に形成されていることを特徴とする請求項１，２，３，４，５，６，７又は８記載の配線コード収納容器を提供するものである。
【００１５】
請求項１０に係る考案は、上記筒状体を上記容器本体の後方に延びて該容器本体よりも長く形成し、該容器本体の延びた後部に該筒状体の後方から出し入れ自在の上方開放の付属容器を設けたことを特徴とする請求項９記載の配線コード収納容器を提供するものである。
【００１６】
請求項１１に係る考案は、上記蓋体は上記容器本体の開口部に開閉自在に取り付けられていることを特徴とする請求項１，２，３，４，５，６，７又は８記載の配線コード収納容器を提供するものである。
【００１７】
請求項１２に係る考案は、上記蓋体は上記容器本体の開口部に蝶番によって開閉自在に取り付けられていることを特徴とする請求項１１記載の配線コード収納容器を提供するものである。
【００１８】
請求項１３に係る考案は、上記区画板及び／又は上記容器本体の壁部に配線コードを巻回自在の巻き線部を揺動自在に設けたことを特徴とする請求項１，２，３，４，５．６，７，８，９，１０，１１又は１２記載の配線コード収納容器を提供するものである。
【考案の効果】
【００１９】
本考案の請求項１記載の考案によれば、上方に開放する開口部を備えた容器本体内に、配線コードを収納するための複数の配線コード収納室を区画板によって区画形成すると共に、該配線コード収納室を形成する前記容器本体の壁部には配線コードを外方に配線するための上方開放の溝孔が形成され、且つ、前記容器本体の開口部を被蔽自在の蓋体が設けられた配線コード収納容器を提供するので、多数の配線コードの長さの余裕部分を容易に収納整理することができる。
【００２０】
請求項２記載の考案によれば、上方に開放する開口部を備えた容器本体内に、仕切り板によって配線分岐手段を収納する配線分岐手段収納室を区画形成すると共に、該仕切り板、及び、区画板によって該配線分岐手段収納室に夫々隣接させて、配線コードを収納する複数の配線コード収納室を区画形成し、且つ、該配線分岐手段収納室と配線コード収納室とを区画する仕切り板には配線コードを配線するための上方開放の溝孔が夫々形成され、更に、該配線分岐手段収納室と配線コード収納室を形成する前記容器本体の壁部には配線コードを外方に配線するための上方開放の溝孔が形成され、且つ、前記容器本体の開口部を被蔽自在の蓋体が設けられた配線コード収納容器を提供するので、前記配線分岐手段から配線コードを分岐させることができると共に、該配線分岐手段及び配線分岐部分を収納整理すると共に、主配線コード及び分岐配線コードの長さの余裕部分を容易に収納整理することができる。
【００２１】
請求項３記載の考案によれば、上記配線分岐手段はＯＡタップであるので、請求項２記載の考案の効果に加え、ＯＡタップを用いた配線の分岐が可能になる。
請求項４記載の考案によれば、上記配線分岐手段はＵＳＢポートであるので請求項２記載の考案の効果に加え、ＵＳＢポートを用いた配線の分岐が可能になる。
【００２２】
請求項５記載の考案によれば、上記区画板は着脱自在に取り付けられるので、請求項１，２，３又は４記載の考案の効果に加え、区画板を着脱することにより、区画室の大きさを変更することができる。
【００２３】
請求項６記載の考案によれば、上記区画板は全体、又は、一部が可撓性の板状体で形成され、上記容器本体の壁面部、及び／又は、上記仕切り板に圧接させて着脱自在に取り付けられると共に、該区画板の取り付け位置を変化させることにより、上記区画室の大きさを変化させることができるように構成されているので、請求項１，２，３，４又は５記載の考案の効果に加え、区画板の着脱が容易であると共に、区画板の取り付け位置を任意に変化させて区画室の大きさを変化させることができる。
【００２４】
請求項７記載の考案によれば、上記区画板の両端部を挿入させるべく、上記容器本体の壁部、及び／又は、上記仕切り板に、対向する溝穴が形成され、該溝穴によって該区画板は着脱自在に構成されているので、請求項１，２，３，４又は５記載の考案の効果に加え、該溝穴によって区画板の着脱が容易になると共に、区画板の保持が安定する利点がある。
【００２５】
請求項８記載の考案によれば、上記対向する溝穴は複数組形成され、上記区画板を挿入する溝穴を変更することにより、上記区画室の大きさを変更自在であるので、請求項７記載考案の効果に加え、複数組の溝穴によって区画板の挿入位置を変更でき、区画室の大きさを容易に変更可能である。
【００２６】
請求項９に係る考案は、上記蓋体は上記容器本体を出し入れ自在の筒状体に形成されているので、請求項１，２，３，４，５，６，７又は８記載の考案の効果に加え、前記筒状体によって前記容器本体の開口部を容易、且つ、確実に開閉することができる。
【００２７】
請求項１０記載の考案によれば、上記筒状体を上記容器本体の後方に延びて該容器本体よりも長く形成し、該容器本体の延びた後部に該筒状体の後方から出し入れ自在の上方開放の付属容器を設けたので、請求項９記載の考案の効果に加え、該付属容器にリモコン等の小物を収納することができる。
【００２８】
請求項１１記載の考案によれば、上記蓋体は上記容器本体の開口部に開閉自在に取り付けられているので、請求項１，２，３，４，５，６，７又は８記載の考案の効果に加え、前記蓋体を開閉して容器本体の開口部を開閉できる。
【００２９】
請求項１２記載の考案によれば、上記蓋体は上記容器本体の開口部に蝶番によって開閉自在に取り付けられているので請求項１１記載の考案の効果に加え、簡素な構成で蓋体を開閉自在に構成することができる。
【００３０】
請求項１３記載の考案によれば、上記区画板及び／又は上記容器本体の壁部に配線コードを巻回自在の巻き線部を揺動自在に設けたので、請求項１，２，３，４，５，６，７，８，９，１０，１１又は１２記載の考案の効果に加え、該巻き線部によってコードを巻回して収納することができ、且つ、巻き線部を揺動させ倒伏状態にして、区画室内に収納することができる。
【考案を実施するための最良の形態】
【００３１】
以下、実施例を示した図面を参照しつつ本考案の実施の形態を説明する。
図１に於いて、１は本考案による配線コード収納容器であり、該配線コード収納容器１は、例えば、ＡＶ機器用のＡＶコードを収納するものであり、上方に開放する開口部２ａを備えた容器本体２内に、ＡＶコード等の配線コード３，３…を収納するための区画室である複数の配線コード収納室４，４…を区画板５，５…によって区画形成すると共に、該配線コード収納室４，４…を形成する前記容器本体２の壁部には配線コード３，３…の入力側（ｉｎ）と、出力側（ｏｕｔ）とを外方に配線するための上方開放の溝孔６，６…が形成され、且つ、該容器本体２を出し入れ自在の筒状体７が別部材として形成され、該筒状体７は前記容器本体２の開口部２ａを被蔽する蓋体として機能する。尚、図に於いて８は前記容器本体２を引き出すためのつまみである。
【００３２】
而して、前記筒状体７と前記容器本体２とが離反した状態で、該容器本体２の１つの配線コード収納室４内に配線コード３の配線上、長さの余分となる余裕部分を収納すると共に、該配線コード３の入力側端子を入力側（ｉｎ）の溝孔６を通して容器本体２の外方に配線し、該配線コード３の出力側端子を出力側（ｏｕｔ）の溝孔６を通して容器本体２の外方に配線する。
【００３３】
同様にして、他の配線コード収納室４にも配線コード３の長さの余裕部分を適宜収納した後、前記容器本体２を前記筒状体７内に摺動して挿入させると、図２に示す如く、前記配線コード収納容器１は収納状態となる。尚、該容器本体２を引き出す時は前記つまみ８を引くか、或いは、前記容器本体２の背面側を前方に押せば該容器本体２を引き出すことができる。
【００３４】
そして、前記配線コード収納容器１は図３に示す如く、例えば、テレビ９がテレビ台１０に載置され、該テレビ台１０内にビデオデッキ１１とＤＶＤデッキ１２等が収納されている場合に於いて、該テレビ台１０内の、例えば、ＤＶＤデッキ１２の上に載置することができる。この時、テレビ９、ビデオデッキ１１及びＤＶＤデッキの配置状況に合わせて、配線コード３の長さの余裕部分を配線コード収納容器１内に収納する。
【００３５】
又、図４に示す如く、前記配線コード収納容器１を前記テレビ台１０の背面側の壁に沿って立てかけることも可能である。
斯くして、前記配線コード収納容器１は、多数のＡＶコードの長さの余裕部分を容易に収納して、整理することができる。
【００３６】
尚、前記配線コード収納容器１を構成する容器本体２、区画板５及び筒状体７は、硬性プラスチック、木材、金属等の材料で形成することができる。
そして、前記区画板５は、全体、又は、一部を樹脂又はゴム等の可撓性材料で形成することも可能であり、然る時は、前記容器本体２の壁面部に圧接させて着脱自在に取り付けることができ、着脱が容易であるので、取り付け位置を容易に変更して前記配線コード収納室４の大きさを変化させることができる。
【００３７】
又、前記筒状体７は該筒状体７に代えて有底円筒状体を用い、後部を閉塞する構成にすることも可能である。
図５は第２の実施例である配線コード収納容器１３を示し、該配線コード収納容器１３は前記配線コード収納容器（図１に於いて１）に於いて、区画板５，５…の両端部を挿入させるべく、容器本体２の壁部に、対向する溝穴１４，１４…が複数組形成されたものである。該対向する溝穴１４，１４…は各区画板５，５…を夫々取り付けるために各区画板５，５…に対応して夫々１組形成されると共に、該区画板５，５…の位置調整のために該溝穴１４，１４…の近傍に、対向する溝穴１４，１４…が１又は複数組形成されている。
【００３８】
該溝穴１４，１４…によって区画板５，５…の着脱が容易になると共に、区画板５，５…の保持を安定させることができる。
又、該区画板５，５…の位置調整のための複数組の溝穴１４，１４…によって区画板５，５…の挿入位置を変更でき、区画室である配線コード収納室４，４…の大きさを容易に変更可能である。
【００３９】
図６は第３の実施例である他の配線コード収納容器１５を示し、該配線コード収納容器１５は前記配線コード収納容器（図１に於いて１）に於いて、筒状体（図１に於いて７）に代えて長手方向が更に長く形成された筒状体１６を形成し、且つ、該筒状体１６の長くなった筒内部分に収納されるように形成された上方開放の付属容器１７を摺動自在に設けたものである。そして、該付属容器１７はリモコン等の小物入れ等に利用できるものであり、背面側に引き出し用のつまみ１８が設けられている。
【００４０】
而して、前記配線コード収納容器１５は筒状体１６の後部に前記付属容器１７が収納され、前部に容器本体２が収納され、前記付属容器１７は前記つまみ１８を引くことにより、後方に引き出され、容器本体２は前記つまみ８を引くことにより前方に引き出されるように構成されている。
【００４１】
図７は第４の実施例である配線コード収納容器１９を示し、該配線コード収納容器１９は前記配線コード収納容器（図１に於いて１）に於いて、筒状体（図１に於いて７）に代えて、容器本体２の開口部２ａに開閉蓋２０が蝶番２１，２１によって開閉自在に取り付けられているものである。尚、開閉蓋２０を閉状態に維持するために磁石やその他の係止手段を用いた係止具（図示せず）を設けても良い。
【００４２】
該配線コード収納容器１９は該開閉蓋２０によって、容器本体２の開口部２ａの開閉が容易となり、これによって配線コード３，３…の収納作業等も容易になる。
図８は第５の実施例を示し、図に於いて２２は、前記配線コード収納容器（図１に於いて１）の容器本体（図１に於いて２）に代えて用いられる容器本体であり、該容器本体２２は前記区画板（図１に於いて５）に代えて該区画板よりも高さの低い区画板２３，２３…が設けられ、該区画板２３，２３…の上端に蝶番等で揺動自在に、配線コードを巻回自在の巻き線部２４，２４…を設けたものであり、該巻き線部２４は、例えば、長尺板の両端中央部が切欠されており、該両端中央部に配線コードを巻回できるように形成されている。尚、前記巻き線部２４に設ける蝶番に代えて、該巻き線部２４と区画板２３とを合成樹脂で一体に形成し、且つ、該巻き線部２４と区画板２３の境界部に薄肉部を形成し、該薄肉部に蝶番の機能を持たせることも可能である。
【００４３】
而して、前記容器本体２２に配線コード３を収納する時は、前記巻き線部２４を起立状態にして、該巻き線部２４の切欠された中央部に該配線コード３を巻回し、入力側端子と出力側端子を該容器本体２２の外側に配線する。そして、該巻き線部２４を配線コード収納室４内に倒して後、前記筒状体７内に該容器本体２２を収納する。
【００４４】
該容器本体２２は前記巻き線部２４によってコードを巻回して収納することができるので、配線コード３の収納が極めて容易になる。
図９は第６の実施例であり、配線分岐手段であるＯＡタップ２５を内装する配線コード収納容器２６を示し、該配線コード収納容器２６は、前記配線コード収納容器（図１に於いて１）の容器本体（図１に於いて２）に代えて、ＯＡタップ２５を収納するように形成された容器本体２７を用いるものであり、該容器本体２７は該容器本体２７の後部内壁面にＯＡタップ２５が固設される。
【００４５】
そして、図に於いて、該容器本体２７の左部内壁面と後部内壁面から所定間隔離間して該左部内壁面と後部内壁面に平行に平面視逆Ｌ字状の仕切り板２８が設けられてＯＡタップ２５及び該ＯＡタップ２５から延設される電源コード２９を収納する配線分岐手段収納室である収納室３０が区画され、該仕切り板２８と前記容器本体２７の前部内壁面及び右部内壁面で囲まれるスペース内に該右部内壁面と平行に所定間隔離間して複数の区画板３１，３１…が設けられて該区画板３１，３１…の区画によって複数の配線コード収納室３２，３２…が形成される。
【００４６】
又、該配線コード収納室３２の前壁を構成する容器本体２７の前壁には該配線コード収納室３２内に収納する配線コード３３を外方に配線する溝孔３４が形成され、該配線コード収納室３２の後壁を構成する仕切り板２８には該配線コード３３を前記ＯＡタップ２５に向かって配線する溝孔３５が形成されている。
【００４７】
尚、前記収納室３０の前壁を構成する容器本体２７の前壁にも前記電源コード２９を外方に配線する溝孔３６が形成されている。
而して、前記電源コード２９を前記収納室３０から溝孔３６を介して外方に配線し、且つ、延長コード等の配線コード３３の一方のプラグ３７を前記ＯＡタップ２５に差し込んで該配線コード３３の長さの余裕部分を前記配線コード収納室３２内に収納し、該配線コード３３の他方を前記溝孔３４を介して外方に配線する。
【００４８】
同様にして、他の配線コード収納室３２内にも適宜配線コード３３を収納する。
そして、筒状体７内に前記容器本体２７を挿入して収納すれば、前記配線コード収納容器２６は収納状態になる。
【００４９】
斯くして、該配線コード収納容器２６はＯＡタップ２５を用いた配線の分岐が可能になり、ＯＡタップ２５、ＯＡタップ配線分岐部分、及び、配線コード３３の長さの余裕部分を収納整理することができる。
【００５０】
図１０は、第７の実施例である配線コード収納容器３８を示し、該配線コード収納容器３８は前記配線コード収納容器（図９に於いて２６）のＯＡタップ（図９に於いて２５）に代えて配線分岐手段であるＵＳＢポート３９を設けたものであり、前記延長コード（図９に於いて３３）に代えて、ＵＳＢコード４０を収納するものである。従って、該配線コード収納容器３８の形状は前記配線コード収納容器（図９に於いて２６）と略相似形状であり、該ＵＳＢコード４０をＵＳＢポート３９に差し込んで使用する以外、その使用方法は前記配線コード収納容器（図９に於いて２６）と略同様である。
【００５１】
斯くして、該配線コード収納容器３８はＵＳＢポート３９を用いた配線の分岐が可能になり、ＵＳＢポート３９、ＵＳＢポート配線分岐部分、及び、ＵＳＢコード４０の長さの余裕部分を収納整理することができる。
尚、前記配線コード収納容器２６，３８と略同構成にすることにより、他の配線分岐手段も同様に収納整理することも可能である。
【図面の簡単な説明】
【００５２】
【図１】本考案の第１の実施の形態を示し、配線コード収納容器の収納前の状態を示す斜視図。
【図２】本考案の第１の実施の形態を示し、配線コード収納容器の収納状態を示す斜視図。
【図３】図１に示す配線コード収納容器の配置例を示す縦断面図。
【図４】図１に示す配線コード収納容器の他の配置例を示す縦断面図。
【図５】本考案の第２の実施の形態を示し、配線コード収納容器の斜視図。
【図６】本考案の第３の実施の形態を示し、配線コード収納容器の斜視図。
【図７】本考案の第４の実施の形態を示し、配線コード収納容器の斜視図。
【図８】本考案の第５の実施の形態を示し、容器本体の斜視図。
【図９】本考案の第６の実施の形態を示し、配線コード収納容器の斜視図。
【図１０】本考案の第７の実施の形態を示し、配線コード収納容器の斜視図。
【符号の説明】
【００５３】
１，１３，１５，１９，２６，３８  配線コード収納容器
２，２２，２７  容器本体
２ａ  開口部
３，３３  配線コード
４，３２  配線コード収納室
５，２３，３１  区画板
６，３４，３５，３６  溝孔
７，１６  筒状体
１４  溝穴
２１  蝶番
２４  巻き線部
２５  ＯＡタップ
２８  仕切り板
３９  ＵＳＢポート
【図１】
0003105070.tif 000003
【図２】
0003105070.tif 000004
【図３】
0003105070.tif 000005
【図４】
0003105070.tif 000006
【図５】
0003105070.tif 000007
【図６】
0003105070.tif 000008
【図７】
0003105070.tif 000009
【図８】
0003105070.tif 000010
【図９】
0003105070.tif 000011
【図１０】
0003105070.tif 000012